(57)【要約】【課題】現行の両面型手乾燥機は、大型あるいは複数のモータファン、通風管、加熱素子および過熱防止回路を内臓している。この結果、消費電力および寸法重量が大きく、フィルタ交換なとの保守作業が必要である。構造が複雑であり、高価なので、業務用専用であり、一般家庭には普及していない。【解決手段】本発明装置では、モータファン収納容器に直結された脱水乾燥槽の内側に、垂直方向かつ、上側に開いた一対のノズルが取付けられている。この効果により、必要な風量は現行装置の半分で済むので、モータファンの消費電力は半分で良い。また、長い通風管、加熱素子、フィルタは不要である。この結果、現行装置と比較して、消費電力は１／２以下、容積は１／２以下、重量は１／３以下である。従って、業務用としてだけではなく、家庭用としても、普及が期待できる。【選択図】図１
2013006005.tif 000002
【特許請求の範囲】
【請求項１】
モータファンで圧縮された空気をノズルから噴出させる方式の手乾燥機において、脱水乾燥槽の両側面に、垂直方向に配列され、かつその間の距離が底部に近いほど短い一対のノズル列を持つ手乾燥機。
【請求項２】
脱水乾燥槽は、モータファン収納容器の延長部を貫通し、モータファンから排出された空気は、これら両者の間の空間を通って、ノズルに直接到達する構造を持つ［請求項１］記載の手乾燥機。
【請求項３】
ノズルの一部あるいは全部を、円形ノズルと矩形ノズルを組み合わせたノズルとした［請求項１］記載の手乾燥機。
【請求項４】
装置吸入口は脱水乾燥槽の外側に配置された［請求項１］記載の手乾燥機。
【発明の詳細な説明】
【技術分野】
【０００１】本発明は高速の風で、手先に付着した水を脱水乾燥する手乾燥機に関する。
【背景技術】
【０００２】この種の手乾燥機には、片面型と両面型があるが、本発明は両面型手乾燥機に関する。
現行装置の消費電力は大きく、装置は大型で、重く、内部構造は複雑なので高価である。
この結果、現行装置は業務用としてのみ使用されており、家庭用としては普及していない。
【先行技術文献】
【０００３】
【特許文献】
【特許文献】特公２０１１−１０４３７７
【特許文献】特公２００３−３２５３７９
【０００４】
【非特許文献】
【非特許文献】「三菱電機ジェットタオル取扱説明書」等
【０００５】図４は現行の両面型手乾燥機の内部構造を示す断面図である。外気は底部の装置吸入口２７から吸込まれて、フィルタ２６を通過し、モータファン２３で圧縮される。圧縮された空気はノズル２１に接続された通風管２４に内蔵された約３００Ｗの加熱素子２５で暖められ、ノズル２１から脱水乾燥槽２２へ噴出される。これらが２系統ある。【０００６】現行装置では、１０本の指を横並びにした範囲をカバするだけの幅、即ち約３０ｃｍの範囲に、一対のノズル２１が水平に配置されている。一対のノズル２１間の距離は約９ｃｍであるが、この理由は、腕に近い手の平の部分の肉厚が約６ｃｍあるので、この部分を通過させる必要があるためである。一方、水分付着量が多いのは、手の指先部分であるが、この厚さは約２ｃｍである。この場合、ノズル２１から出た風が指先表面に到達するまでの移動距離は両側で各約３．５ｃｍもある。この間の風の減衰は大きい。これを補償するために、一対のノズル２１のそれぞれに、約４００ワットのファンモータ２３が通風管２４で接続されている。これらの消費電力は合計約８００ワットである。【０００７】更に、現行装置では、脱水乾燥効率を上げるために、通風管２４の内部に各約３００ワットの加熱素子２５が置かれ、通過する空気を暖めている。これらを加算すると、現行装置の全消費電力は合計約１４００ワットである。
【発明の概要】
【発明が解決しようとする課題】
【０００８】以上のように、現行装置では、一対のノズル２１の横幅が大きく、複数のモータファン２３、通風管２４および加熱素子２５を必要とするので、大型で重く、消費電力が大きく、高価である。この結果、現行装置（図４）は業務用専用であり、家庭用としては普及していない。現行装置の外形寸法、重量の一例は、幅３０×高さ７０×奥行き２２（ｃｍ）、約１１ｋｇである。
【課題を解決するための手段】
【０００９】本発明装置の構造は次のとおりである。脱水乾燥槽２の中央部分に、一対のノズル１が垂直方向かつ、上側に広く、下側に狭い形で取付けられている。ノズル１の長さは約１５ｃｍであり、この長さは手の平の長手方向を有効に脱水できる長さである。装置を使用する際には、両方の手先は脱水乾燥槽２へ挿入されてから、一対のノズル１を横切るように、水平方向に移動される。センサ６が手先を感知すると、一対のノズル１から高速の風が、手先の両側へ噴射され脱水乾燥が行われる。【００１０】次に、消費電力の低減について説明する。一対のノズル１の長さは約１５ｃｍなので、現行装置の約半分である。即ち、モータファン３の消費電力は現行装置の半分で良い。これは、現行装置（図４）のモータファン２３が一個で済むことを意味する。更に、一対のノズル１間の距離は、上方では９ｃｍであるが、下方では５ｃｍに設定されている。即ち、一般に手の平の付け根部分の肉厚は約６ｃｍで、指先の厚さは約２ｃｍである。従って、ノズルと手の皮膚間の距離が全長で各１．５ｃｍである。この結果、風速の減衰はそれだけ少ないので、脱水効率が良い。【００１１】また、モータファン３の鉄心は熱間圧延珪素鋼板が使用されているので、この損失熱量を吸収した風は約１２℃上昇している。即ち、本発明装置では、現行装置の加熱素子２５は不要である。【００１２】次に、装置の小型軽量化について説明する。本発明装置では、モータファン３の消費電力は約４００Ｗなので、現行装置の半分である。すなわちモータファン３は一個で良いので、脱水乾燥槽２の真下に配置でき、モータファン収納容器４の上部に直接結合することができる（図３）。両者の間隙に送り込まれた風は、脱水乾燥槽２の側面に取付けられた一対のノズル１の裏側に到達する。即ち、現行装置のような通風管２４は不要なので、装置が小型化されるうえ、この間の空気抵抗も少ない。【００１３】また、本発明装置では、装置吸入口５は脱水乾燥槽２の上部かつ、装置の外側の位置にあるので、脱水された水分は吸い込まれない。また、床下のホコリも吸い込まれないので、現行装置のフィルタ２６は不要であり、その分の空気抵抗による損失は少ない。【００１４】また、本発明装置では、脱水乾燥槽２の中央部の断面積が、左右末端部の断面積より大きく取られている。この結果、手先の移動が容易であり、かつ空気の吹き上げは少ない。【００１５】また、本発明のノズル１の手の平側の指先に風を送る部分には、図５のように、円形ノズル９と矩形ノズル１０を組み合わせたノズルが取付けられている。一般に、円形ノズル９の直進性は良いが、吹かれる部分が断続的である。一方、矩形ノズル１０の吹かれる部分は連続的であるが、直進性が悪い。しかし、両者を組み合わせると、吹かれる部分は連続的で直進性も良くなる。これは、指先の間に存在する水分の除去に効果的である。
【発明の効果】
【００１６】以上のように、本発明装置（図１）では、垂直方向で上側に開いた一対のノズル１の効果により、ファンモータの消費電力は約半分で良く、加熱素子２５は不要なので、全体の消費電力は現行装置（図４）の１／３以下である。また、長い通風管２４、加熱素子２５、その安全回路は不要なので装置は小型軽量化される。更に、フィルタ２６は不要なので、定期交換などの保守作業は不要である。更に、円形ノズル９と矩形ノズル１０の組合わせにより、必要な部分には、連続的で直進性の良い風が得られる（図５）。従って、本発明装置は業務用としてだけでなく、家庭用としても普及可能である。なお本発明装置の寸法は、幅２６×高さ４０×奥行１９（ｃｍ）、重量は４ｋｇである。即ち、現行装置と比較して、容積で約１／２、重量で約１／３である。
【発明を実施するための形態】
【００１７】手先が脱水乾燥槽２に挿入されると、センサ６がこれを感知して、モータファン３が始動し、一対のノズル１から高速の風が噴出される。手先が一対のノズル１の間を通過する瞬間に脱水が行われる。手先を引き出すと、モータファン３は自動的に停止する。
【図面の簡単な説明】
【００１８】
【図１】本発明装置（断面図）
【図２】本発明装置の外観図
【図３】本発明装置の脱水乾燥槽とファンモータ収納容器の構造
【図４】現行装置（断面図）
【図５】円形ノズルと矩形ノズルの組み合わせ
【符号の説明】
【００１９】１ノズル、  ２脱水乾燥槽、  ３モータファン、  ４モータファン収納容器、  ５装置吸入口、  ６センサ、  ７水受け    ８制御回路    ９円形ノズル  １０矩形ノズル
２１ノズル、  ２２脱水乾燥槽、  ２３モータファン、  ２４通風管、  ２５加熱素子、２６フィルタ、  ２７装置吸入口、
【図１】
2013006005.tif 000003
【図２】
2013006005.tif 000004
【図３】
2013006005.tif 000005
【図４】
2013006005.tif 000006
【図５】
2013006005.tif 000007